(57)【要約】【課題】自然な皺をランダムにちりばめた斬新且つシックな意匠を表現でき、それによって日本美や幻想的な雰囲気をも演出することができるようにする。【解決手段】複数枚の表面紙１１が重合による継ぎ目１２を介して貼付され、各表面紙１１における継ぎ目１２を除いた領域には、互いに分散配置となる多数箇所を曲線状、折れ線状、枝分かれ線状に下地壁面１０から突出させることによって表現した大小の皺１６が設けられていると共に、継ぎ目１２には当該継ぎ目１２に向かって一方又は両方の表面紙１１から延びる皺１６や、当該継ぎ目１２を挟んで両側の表面紙１１間に跨るように配置される皺１６に対してそれらとそれぞれ同じ表現を保ちつつ連続する皺１６が設けられたものとする。【選択図】図１
2011047251.tif 000002
【特許請求の範囲】
【請求項１】
下地壁面（１０）に対して複数枚の表面紙（１１）が少なくとも１カ所の継ぎ目（１２）を介しながら割り付けて貼付され、
前記継ぎ目（１２）は隣り合う表面紙（１１）が所定幅の側縁部同士で速乾接着層（１３）を挟んで重合されることで形成されており、
この継ぎ目（１２）において重合関係の下となる表面紙（１１Ａ）と下地壁面（１０）との間及びこの継ぎ目（１２）を除く各表面紙（１１）と下地壁面（１０）との間には水性糊を硬化させた接着層（１５）が形成され、
各表面紙（１１）における継ぎ目（１２）を除いた領域には、互いに分散配置となる多数箇所を曲線状、折れ線状、枝分かれ線状に下地壁面（１０）から突出させることによって表現した大小の皺（１６）が設けられていると共に、
前記継ぎ目（１２）には、当該継ぎ目（１２）に向かって一方又は両方の表面紙（１１）から延びる皺（１６）や当該継ぎ目（１２）を挟んで両側の表面紙（１１）間に跨るように配置される皺（１６）に対してそれらとそれぞれ同じ表現を保ちつつ連続する皺（１６）が設けられている
ことを特徴とする壁装構造。
【請求項２】
前記速乾接着層（１３）は両面テープにより形成されていることを特徴とする請求項１記載の壁装構造。
【請求項３】
前記表面紙（１１）に設けられた皺（１６）には、接着層（３）と表面紙（１１）との間に空気層（２０）を生じさせることで突出向きを可変とする変形可能皺（１６Ａ）が含まれていることを特徴とする請求項１又は請求項２記載の壁装構造。
【請求項４】
側縁部同士の重合による継ぎ目（１２）を形成させるようにして下地壁面（１０）へ相互隣接配置で貼付する表面紙（１１Ａ，１１Ｂ）のうち重合関係の上とする方の表面紙（１１Ｂ）の側縁部裏面に速乾接着層（１３）を付着させておき、
これら両表面紙（１１Ａ，１１Ｂ）を水性糊にて下地壁面（１０）へ貼付すると共に、これに先行、後行又は並行して重合関係の下とする表面紙（１１Ａ）と重合関係の上とする表面紙（１１Ｂ）とを前記速乾接着層（１３）により互いに接着して前記継ぎ目（１２）を形成させ、
前記水性糊が乾燥する前に各表面紙（１１Ａ，１１Ｂ）に対して下地壁面（１０）に沿わせた力を加えることにより前記継ぎ目（１２）を除く領域内であって且つ互いに分散配置となる多数箇所に、曲線状、折れ線状、枝分かれ線状に下地壁面（１０）から突出する大小の皺（１６）を形成させると共に、
前記継ぎ目（１２）にも当該継ぎ目（１２）に向かって一方又は両方の表面紙（１１Ａ）（１１Ｂ）から延びる皺（１６）や当該継ぎ目（１２）を挟んだ両側の表面紙（１１Ａ，１１Ｂ）間に跨る皺（１６）に対してそれらと連続性を生じさせながら皺（１６）を形成させる
ことを特徴とする壁装構造の施工方法。
【請求項５】
両表面紙（１１Ａ，１１Ｂ）を水性糊にて下地壁面（１０）へ貼付するに際しては、
まず重合関係の下とする表面紙（１１Ａ）を先に貼付し、
この重合関係の下とする表面紙（１１Ａ）に対して重合関係の上とする表面紙（１１Ｂ）を前記速乾接着層（１３）で接着又は位置合わせしてからこの重合関係の上とする表面紙（１１Ｂ）を水性糊にて下地壁面（１０）へ貼付する手順とする
ことを特徴とする請求項４記載の壁装構造の施工方法。
【請求項６】
下地壁面（１０）に貼付した表面紙（１１）に皺（１６）を形成させるに際しては、
重合関係の下とする表面紙（１１Ａ）を下地壁面（１０）へ貼付した段階で、当該表面紙（１１Ａ）に対し前記継ぎ目（１２）を形成させる予定の側縁部（２５）及び当該側縁部（２５）に沿った所定幅領域（２６）を除いて皺（１６）を形成させ、
しかる後に重合関係の上とする表面紙（１１Ｂ）を下地壁面（１０）へ貼付するときに、継ぎ目（１２）の形成と同時に当該継ぎ目（１２）への皺（１６）の形成を行うと共に、これに先行、後行又は並行して重合関係の上とする表面紙（１１Ｂ）への皺（１６）の形成を行う手順とする
ことを特徴とする請求項５記載の壁装構造の施工方法。
【請求項７】
前記速乾接着層（１３）は両面テープにより形成するものとし、
この両面テープにおいて一方の粘着面を被う離型紙のみ剥がして重合関係の上とする表面紙（１１Ｂ）の側縁部裏面に付着し、
両面テープにおいて他方の粘着面を被う離型紙（２３）は残したまま重合関係の上とする表面紙（１１Ｂ）の裏面に水性糊を塗布した後、
この重合関係の上とする表面紙（１１Ｂ）を下地壁面（１０）へ貼付し、
これに先行、後行又は並行して前記両面テープから、残しておいた離型紙（２３）を剥がし、
その後に重合関係の下とする表面紙（１１Ａ）と重合関係の上とする表面紙（１１Ｂ）とを前記速乾接着層（１３）により互いに接着して前記継ぎ目（１２）を形成させる
ことを特徴とする請求項４乃至請求項６のいずれか１項に記載の壁装構造の施工方法。
【発明の詳細な説明】
【技術分野】
【０００１】
本発明は、壁装構造及びその施工方法に関するものである。
【背景技術】
【０００２】
従来、建物の内装として、自然な皺をランダムにちりばめて斬新且つシックな意匠を表現する（それによって日本美や幻想的な雰囲気などを演出する）ことがある。このような内装を施工するには、乾燥後にもボリューム感を生じさせることのできる塗料を、吹き付け法や刷毛塗り法により所々に塗料の塊が生じるようにしつつ塗布する方法が一般的に採用されている。
【０００３】
しかし、この施工方法は極めて面倒であると共に卓越した熟練技術を要するものであり、また施工中に周辺を汚すおそれがあるために、これを防ぐうえで更なる手間が必要という問題があった。しかも、塗料の乾燥や塗料臭の放逸などに長時間を要するという問題もあった。
のみならず、この施工方法で得られた内装は、塗料の表面張力が原因して皺の突縁に鋭角な稜線を出すことができず、シャープな印象（陰影を強調させ立体的なイメージを出すうえで重要な要素とされる）を表現し難いという問題があって、これらのことから簡単には採用できないものであった。
【０００４】
そこで、紙面いっぱいに皺が設けられた皺付き加工紙を予め製造しておき、この皺付き加工紙を内装材として壁面などに貼付する方法が創案され、そのための皺付き加工紙が開発されるに至っている。この皺付き加工紙を製造するには、乾燥状態の長尺紙を特殊な装置（皺付け用に繰り返し往復動をするように構成させた一対のローラ装置）を具備した専用の製造ラインが必要であった（特許文献１参照）。
【先行技術文献】
【特許文献】
【０００５】
【特許文献１】特開昭６３−１５２５００号公報
【発明の概要】
【発明が解決しようとする課題】
【０００６】
従来、開発された皺付き加工紙に関しては、専用の製造ラインを用いることにより大量生産が可能であるなどと謳われているが、需要（施工の受注）が少なければ高コストになることは必定である。また、せっかく当初から皺が設けられているとしても、壁面などへの貼り付け時には皺付き加工紙が糊などに含まれる水分を吸水して弛みが生じるものであり、一つ一つの皺がだれてしまう（シャープさが消失してしまう）ということがあった。またその後、皺付き加工紙が乾燥するときには収縮するから、これによって皺が引き延ばされてしまうことさえもあった。
【０００７】
このようなことから、この皺付き加工紙を壁面などに貼り付けても、その壁面全体から得られる意匠性としては皺数が少なく、一つ一つの皺は短くて突出量が小さく、シャープさがないものとなってしまっていることが多かった。すなわち、十分な陰影が生じないために壁面の凹凸感、立体感が乏しく、表現力も貧弱なものになってしまうという不満があった。
【０００８】
本発明は、上記事情に鑑みてなされたものであって、従来公知の塗料塗布法（吹き付け法や刷毛塗り法）や皺付き加工紙の貼り付け法では到底表現することのできなかった「自然な皺をランダムにちりばめた斬新且つシックな意匠」を表現し、それによって日本美や幻想的な雰囲気をも演出できるようにした壁装構造及びその施工方法を提供することを目的とする。
【０００９】
また本発明は、「自然な皺をランダムにちりばめた斬新且つシックな意匠」を低コスト、短期間で施工できるようにした壁装構造及びその施工方法を提供することを目的とする。
【課題を解決するための手段】
【００１０】
前記目的を達成するために、本発明は次の手段を講じた。
即ち、本発明に係る壁装構造は、下地壁面に対して複数枚の表面紙が少なくとも１カ所の継ぎ目を介しながら割り付けて貼付されたものであって、前記継ぎ目は隣り合う表面紙が所定幅の側縁部同士で速乾接着層を挟んで重合されることで形成されており、この継ぎ目において重合関係の下となる表面紙と下地壁面との間及びこの継ぎ目を除く各表面紙と下地壁面との間には水性糊を硬化させた接着層が形成されている。なお、ここで「速乾接着層」とは、表面紙と下地壁面との間の接着層よりも接着時間が短く迅速な接着固定効果が得られる接着層を意味する。
【００１１】
そして、各表面紙における継ぎ目を除いた領域には、互いに分散配置となる多数箇所を曲線状、折れ線状、枝分かれ線状に下地壁面から突出させることによって表現した大小の皺が設けられている。
また、前記継ぎ目には、当該継ぎ目に向かって一方又は両方の表面紙から延びる皺や当該継ぎ目を挟んで両側の表面紙間に跨るように配置される皺に対してそれらとそれぞれ同じ表現を保ちつつ連続する皺が設けられている。
【００１２】
このような構成であると、自然な皺をランダムにちりばめた斬新且つシックな意匠を表現でき、それによって日本美や幻想的な雰囲気をも演出することができる壁装構造となる。このような壁装構造は新規且つ画期的である。
また、表面紙と表面紙との相互隣接間（境界部）に形成される継ぎ目に対しても、継ぎ目以外の領域に形成される皺と同じ表現を保持した皺が連続的に形成されているので、継ぎ目が目立ってしまうことがなく、壁面全体として一体感が得られている。このような継ぎ目を有するので、室内はもとより、ロビーや講堂、展示場、舞台背景など、大きな壁面をも構成することができる。
【００１３】
前記速乾接着層は両面テープにより形成されたものとするのが好適である。
このように両面テープを使用することで、強力な接着力を得ることができ、下地壁面へ表面紙を貼付した状況下にあって、継ぎ目にめくれ等は生じ難いものとなる。また継ぎ目の長手方向中途部に対して悪戯目的などでめくれを生じさせようとする外力が付加されても、強固な阻止効果が得られる。
【００１４】
その反面で、速乾接着層を両面テープとしておくと、表面紙の貼り換え時など、継ぎ目上の表面紙を隅角部から順序よく、且つ積極的に剥がしてゆくような外力に対しては、比較的簡単且つ綺麗に剥離させることができる（即ち、貼り換え時には継ぎ目を剥離起点にして容易な剥離ができる）という利点をも有したものである。
表面紙に設けられた皺には、接着層と表面紙との間に空気層を生じさせることで突出向きを可変とする変形可能皺が含まれたものとするのが好適である。
【００１５】
このようにすることで、皺としても、また表面紙全体としても、表現力の豊かなものを得ることができる。また、施工後（水性糊の硬化後）にも皺の表現を所定範囲で変更することができるので、表面紙全体としてのバランスを考えながら皺表現を調整したり、長期使用後の雰囲気変え（軽度の模様替え）などにも対応できることになる。
なお、変形可能皺を設ける配置パターンによっては、変形可能皺の空気層によって吸音性、吸湿性、保温性などが期待できるといったことを、その実感としてアピールすることもできる。
【００１６】
一方、本発明に係る壁装構造の施工方法は、側縁部同士の重合による継ぎ目を形成させるようにして下地壁面へ相互隣接配置で貼付する表面紙のうち重合関係の上とする方の表面紙の側縁部裏面に速乾接着層を付着させておき、これら両表面紙を水性糊にて下地壁面へ貼付すると共に、これに先行、後行又は並行して重合関係の下とする表面紙と重合関係の上とする表面紙とを前記速乾接着層により互いに接着して前記継ぎ目を形成させ、前記水性糊が乾燥する前に各表面紙に対して下地壁面に沿わせた力を加えることにより前記継ぎ目を除く領域内であって且つ互いに分散配置となる多数箇所に、曲線状、折れ線状、枝分かれ線状に下地壁面から突出する大小の皺を形成させると共に、前記継ぎ目にも当該継ぎ目に向かって一方又は両方の表面紙から延びる皺や当該継ぎ目を挟んだ両側の表面紙間に跨る皺に対してそれらと連続性を生じさせながら皺を形成させるものである。
【００１７】
このような皺の形成方法であるから、皺数、皺の長さや突出量、皺のシャープさなどについて、強調させることにも抑え気味にすることにも柔軟に対応できる。また低コスト、短期間で施工できるようになる。
しかも、複数枚の表面紙を相互隣接配置で貼り付けるものとして、その隣接間（境界部）に形成される継ぎ目に対して、自然な状態で皺を形成でき、この継ぎ目の皺を、継ぎ目以外の領域の皺模様にとけ込ませることができる。すなわち、継ぎ目が目立ってしまうことを防止でき、壁面全体としての一体感を醸し出させることができる。
【００１８】
両表面紙を水性糊にて下地壁面へ貼付するに際しては、まず重合関係の下とする表面紙を先に貼付し、この重合関係の下とする表面紙に対して重合関係の上とする表面紙を前記速乾接着層で接着又は位置合わせしてからこの重合関係の上とする表面紙を水性糊にて下地壁面へ貼付する手順とするのが好適である。
下地壁面に貼付した表面紙に皺を形成させるに際しては、重合関係の下とする表面紙を下地壁面へ貼付した段階で、当該表面紙に対し前記継ぎ目を形成させる予定の側縁部及び当該側縁部に沿った所定幅領域を除いて皺を形成させ、しかる後に重合関係の上とする表面紙を下地壁面へ貼付するときに、継ぎ目の形成と同時に当該継ぎ目への皺の形成を行うと共に、これに先行、後行又は並行して重合関係の上とする表面紙への皺の形成を行う手順とするのが好適である。
【００１９】
前記速乾接着層は両面テープにより形成するものとし、この両面テープにおいて一方の粘着面を被う離型紙のみ剥がして重合関係の上とする表面紙の側縁部裏面に付着し、両面テープにおいて他方の粘着面を被う離型紙は残したまま重合関係の上とする表面紙の裏面に水性糊を塗布した後、この重合関係の上とする表面紙を下地壁面へ貼付し、これに先行、後行又は並行して前記両面テープから、残しておいた離型紙を剥がし、その後に重合関係の下とする表面紙と重合関係の上とする表面紙とを前記速乾接着層により互いに接着して前記継ぎ目を形成させるようにするのが好適である。
【００２０】
このように、速乾接着層を両面テープで形成するようにすると、強力な接着力が即時的に得られる利点がある。
また、重合関係の上とする表面紙の裏面に水性糊を塗布する場合にあって、両面テープの離型紙を剥がさずに残しておけば、この両面テープが水性糊で粘着力を低下させるおそれがないため、両面テープに水性糊が塗布されないような気遣い、考慮が不要になる。従って、水性糊の塗布作業を気兼ねなく行えることになり、高能率の作業が行えるという利点が得られるものである。
【発明の効果】
【００２１】
本発明に係る壁装構造及びその施工方法では、自然な皺をランダムにちりばめた斬新且つシックな意匠を表現でき、それによって日本美や幻想的な雰囲気をも演出することができる。また低コスト、短期間で施工できる。
【図面の簡単な説明】
【００２２】
【図１】本発明に係る壁装構造における一実施形態を示した斜視図である。
【図２】図１のＡ−Ａ線拡大断面図である。
【図３】本発明に係る壁装構造を実施可能な室内壁の一例を示した斜視図である。
【図４】本発明に係る壁装構造の施工方法を模式的に示した平面図である。
【図５】水性糊の塗布状況を示した拡大図である。
【図６】皺の形成状況を示した斜視図である。
【図７】重合関係の上とする表面紙の貼付状況を示した斜視図である。
【図８】重合関係の上とする表面紙へ皺を形成させている状況を示した斜視図である。
【図９】手順の別例として重合関係の下とする表面紙の貼付状況を模式的に示した平面図である。
【図１０】手順の別例として重合関係の下とする表面紙及び重合関係の上とする表面紙の貼付状況を模式的に示した平面図である。
【図１１】施工サンプル体の一例を示した斜視図である。
【発明を実施するための形態】
【００２３】
以下、本発明の実施の形態を、図面に基づき説明する。
図１及び図２は本発明に係る壁装構造１の一実施形態を示している。この壁装構造１は、例えば図３に示すような和室において、床の間の内側壁２を仕上げたり、室内壁３の全域を仕上げたりする場合に採用することができる。
また、壁面を凹ませたり額縁材等で囲ったりして立体的なアクセント又は実用的な飾り棚等４とさせる場合であれば、この内側スペースだけを仕上げるように採用することもできる。言うまでもなく、これらはあくまでも一例であり、和室とすることをも含めて、何ら限定されるものではない。
【００２４】
本発明に係る壁装構造１は、下地壁面１０に対して複数枚の表面紙１１が少なくとも１カ所の継ぎ目１２を介しながら割り付けて貼付されたものである。継ぎ目１２は、隣り合う表面紙１１が所定幅の側縁部同士で速乾接着層１３を挟んで重合されることで形成されている。速乾接着層１３は両面テープにより形成されている。
なお以下では、説明の便宜上、この継ぎ目１２において重合関係の下となる表面紙１１を「下表面紙１１Ａ」と言い、重合関係の上となる表面紙１１を「上表面紙１１Ｂ」と言うものとする。また両方の表面紙１１を指す場合には「両表面紙１１Ａ，１１Ｂ」と言うものとする。
【００２５】
下表面紙１１Ａと下地壁面１０との間には、継ぎ目１２の部分をも含めて、水性糊を硬化させた接着層１５が形成されている。また継ぎ目１２の部分を除き、上表面紙１１Ｂと下地壁面１０との間にも水性糊を硬化させた接着層１５が形成されている（図２参照）。
そして、両表面紙１１Ａ，１１Ｂにおける継ぎ目１２を除いた領域には、大小の皺１６が多数設けられている。また継ぎ目１２にも皺１６が設けられている。
【００２６】
継ぎ目１２に設けられた皺１６は、この継ぎ目１２に向かって下表面紙１１Ａ又は上表面紙１１Ｂの一方から延びる皺１６や、この継ぎ目１２を挟んで両表面紙１１Ａ，１１Ｂ間に跨るように配置される皺１６に対して、それらとそれぞれ同じ表現を保ちつつ連続するようにして形成されている。勿論、この継ぎ目１２の範囲内に収まるように独立させた状態で、この継ぎ目１２に形成されたもの（皺１６）が存在していてもよい。
【００２７】
両表面紙１１Ａ，１１Ｂは、着色した加工紙や和紙など、吸水性及び吸水時に軟化する特性を有した紙によって形成されたものである。吸水時及び乾燥時において、ある程度のコシの強さや破れ難さを有している点も必要とされる。紙面の大きさは、幅が９０ｃｍ〜１２０ｃｍ程度のロール紙を下地壁面１０の高さなどに合わせて裁断したもの、等とすればよいが、寸法的な限定は特にない。
【００２８】
なお、両表面紙１１Ａ，１１Ｂは、必ずしも着色されていることが限定されるものではなく、漂白紙を用いたり紙素材の色のままのものを用いてもよいとされる。ただ、着色されたものとする場合には、コーティングなどにより製紙後に着色したものではなく、染色法や含浸法など、乾燥前の生地（又は紙素材）に着色料を混合させてから製紙したものを使用するのが好適とされる。
【００２９】
両表面紙１１Ａ，１１Ｂ（継ぎ目１２を除く）に設けられた皺１６は、互いに分散状態で多数箇所に配置されたもので、曲線状のものや、折れ線状のもの、枝分かれ線状になったものなど、種々様々なものが混在している。また継ぎ目１２に設けられた皺１６も、同様である。これらの皺１６は、後述するように下地壁面１０に両表面紙１１Ａ，１１Ｂを貼付するに際して生じさせたものである。
【００３０】
図２に示すように、各皺１６には、下地壁面１０から突出した状態に形成されたものであって、接着層１５と両表面紙１１Ａ，１１Ｂとの間に空気層２０を生じさせたもの（１６Ａ）や、空気層２０を生じさせていないもの（１６Ｂ，１６Ｃ）が含まれている。空気層２０を生じさせたものは、その突出量が大きくなる傾向にあるため、施工後（水性糊の硬化後）にもその表情（皺１６としての表現）を所定範囲で変更することのできる変形可能皺となる。
【００３１】
なお、空気層２０を生じさせるか否かの事情と、変形可能皺として作用するか否かの事情との間には直接的な因果関係はなく、空気層２０を生じさせていなくても突出量を大きくすることで変形可能皺とさせることは可能（図２の符号１６Ｂなど参照）であるし、反対に空気層２０を生じさせても突出量が小さければ変形可能皺とならない場合もある。
変形可能皺とさせた皺１６（例えば図２の符号１６Ａ）は、水性糊の硬化後にも両表面紙１１Ａ，１１Ｂの全体としてのバランスを考えながら皺表現を調整したり、長期使用後の雰囲気変え（軽度の模様替え）などにも対応できることになる。
【００３２】
このような構成の壁装構造１であると、自然な皺１６をランダムにちりばめて斬新且つシックな意匠を表現でき、それによって日本美や幻想的な雰囲気をも演出することができる。このような壁装構造１は新規且つ画期的である。
また、両表面紙１１Ａ，１１Ｂの相互隣接間（境界部）に形成される継ぎ目１２に対しても、継ぎ目１２以外の領域に形成される皺１６と同じ表現を保持するようにして、皺１６が連続的に形成されている。そのため、継ぎ目１２が目立ってしまうことがなく、壁面全体として一体感が得られている。このような継ぎ目１２を有するので、室内はもとより、ロビーや講堂、展示場、舞台背景など、大きな壁面をも構成することができる。
【００３３】
次に、両表面紙１１Ａ，１１Ｂを下地壁面１０に貼付する手順、及びこれら両表面紙１１Ａ，１１Ｂ（継ぎ目１２を含む）に皺１６を設ける手順を示した図４乃至図８に基づいて、本発明に係る壁装構造の施工方法を説明する。
まず、図４及び図５に示すように、上表面紙１１Ｂの側縁部裏面に対し、速乾接着層１３としての両面テープを付着させておく。このとき、両面テープは、一方の粘着面を被う離型紙のみ剥がして上表面紙１１Ｂの側縁部裏面に付着し、両面テープにおいて他方の粘着面を被う離型紙２３（図５にのみ示す）は残したままにする。
【００３４】
次に、下表面紙１１Ａの裏面に霧吹きなどをして水分を付与し、その状態でスプレー掛けや刷毛塗りなどの方法により、下表面紙１１Ａの裏面に水性糊を満遍なく塗布する。水性糊としては、一般に壁紙貼付用として市販されているものが好適であるが、その他、澱粉糊や木工用ボンドなどでもよい。乾燥時間が３０分程度のものを採用するのが好適である。
【００３５】
また給水量は、例えば一辺１０ｃｍとする正方形領域に５ｍｇ程度とするのが好適であるが、紙質や紙厚、水性糊の材質、塗布量、下地壁面１０の材質、湿度などに応じて適宜変更可能である。
水性糊の塗布後、適宜養生させるか又は養生させることなく、この下表面紙１１Ａを下地壁面１０へ貼り付ける。ここで図６に示すように、水性糊が乾燥硬化する前に下表面紙１１Ａに対し、下地壁面１０の表面に沿う方向で力を加え、皺１６を生じさせるようにする。力を加える方向や力の程度、回数、ストロークなどを適宜変えることで、所望に応じた皺パターンにしてゆく。
【００３６】
なお、図６では下表面紙１１Ａに対して一方向的に力を加えるように図示してあるが、皺１６を形成させようとする位置を中心にしてその両側から力を寄せ合わせるようにしたり、或いは一方側をせき止めながら他方側を寄せ付けるように力を加えたりするようにしてもよい。
また、図７に示すように、皺１６の形成は、下表面紙１１Ａのうち、継ぎ目１２を形成させる予定の側縁部２５と、この側縁部２５に沿った所定幅領域２６を除いて行うようにする。具体的には、側縁部２５及び所定幅領域２６の両方を合わせて、おおよそ１０ｃｍ程度とすればよい。
【００３７】
なお、これら側縁部２５及び所定幅領域２６に対して、皺１６を形成させてはいけないという意味では決してないし、１０ｃｍという寸法についても適宜変更可能なものである。
また、下表面紙１１Ａに対し、水分を付与する手順と水性糊を塗布する手順とを逆にしてもよい。またこれらに先立ち、下表面紙１１Ａを手作業でクシャクシャに揉むようにして、皺目をつけておくようにしてもよい。更に、下表面紙１１Ａを下地壁面１０に貼り付けるときに、予め下地壁面１０側も霧吹きなどで濡らしておくようにしてもよい。これらの態様は、得ようとする皺パターンや施工環境（湿度や気温、下地壁面１０の表面性状、表面紙１１の紙質など）に応じて適宜変更することが可能である。
【００３８】
下表面紙１１Ａに塗布した水性糊が乾燥硬化する前に、引き続き、上表面紙１１Ｂの裏面にも水性糊を塗布する。このときも、上表面紙１１Ｂの側縁部裏面に付着させた速乾接着層１３（両面テープ）からは、離型紙２３を剥がさずに残しておく。
離型紙２３を残しておくことで、上表面紙１１Ｂへの水性糊塗布作業は、速乾接着層１３（両面テープ）に対する水性糊の付着を考慮することなく、気兼ねなく行えることになり、高能率の作業が行える（図５参照）。
【００３９】
そして、下表面紙１１Ａに対し、速乾接着層１３により上表面紙１１Ｂを接着させる位置（継ぎ目１２を形成させる位置）の位置合わせをしつつ、この上表面紙１１Ｂを下地壁面１０へ貼付する。
これに並行して、速乾接着層１３（両面テープ）から残しておいた離型紙２３を剥がし、この速乾接着層１３によって下表面紙１１Ａと上表面紙１１Ｂとを接着することで、継ぎ目１２を形成させる。言うまでもなく、離型紙２３を剥がすことでこの離型紙２３に付着していた水性糊も除去されることになり、速乾接着層１３として、両面テープの粘着力は新品時の強力なコンディションが提供されることになる。
【００４０】
この継ぎ目１２の形成時には、下表面紙１１Ａにおいて未だ、皺１６を形成させていない所定幅領域２６（図７参照）や、上表面紙１１Ｂ、更にはこの継ぎ目１２に対しても、それぞれ皺１６を形成させるようにする。
継ぎ目１２に対して形成する皺１６は、下表面紙１１Ａからこの継ぎ目１２に向かって延びる皺１６や、上表面紙１１Ｂに形成する皺１６のなかでこの継ぎ目１２に向かって延びる皺１６、或いは、継ぎ目１２を挟んで両表面紙１１Ａ，１１Ｂ間に跨るようになる皺１６に対して、それらと連続性を生じさせながら形成させるようにする。勿論、この継ぎ目１２の範囲内に収まるように独立した皺１６を形成してもよい。
【００４１】
なお、継ぎ目１２は下表面紙１１Ａと上表面紙１１Ｂとが速乾接着層１３を介して重合構造を形成したものであるため、両表面紙１１Ａ，１１Ｂにおける継ぎ目１２以外の領域に比してやや硬くなっている。そのため、この継ぎ目１２へ皺１６を形成させる際には、手のひらや指先で摘み出すような操作をすると、皺１６を形成させやすい。
速乾接着層１３として両面テープを用いた場合では、両表面紙１１Ａ，１１Ｂ間の接着（継ぎ目１２の形成）に強力な接着力が即時的に得られ、皺１６の形成時に剥離現象（局部的な浮き上がり）などの欠点が起こるおそれはない。
【００４２】
また、両面テープが高密度の粘着力に伴う密着性を発揮し、且つ一定厚さに形成されていることで、堰のような作用を奏し、上表面紙１１Ｂの裏面に塗布した水性糊が下表面紙１１Ａの表面側へはみ出す（にじみ出てくる）のを防止できる効果もある。そのため、下表面紙１１Ａの表面を水性糊（変色や光沢等）で汚損するおそれがないという利点に繋がる。
【００４３】
このようにして皺１６を形成させた後は、両表面紙１１Ａ，１１Ｂと下地壁面１０との間の水性糊が硬化するのを待てばよい。水性糊が硬化して接着層１５を形成した後、必要に応じ、変形可能皺とさせた皺１６の表情（曲がり具合や突出向きなど）を調整すればよい。
なお、上表面紙１１Ｂの更に右隣へも更に表面紙１１を貼付するような場合であれば、図８に示すように、この上表面紙１１Ｂに関しても、継ぎ目１２を形成させる予定の側縁部２５と、この側縁部２５に沿った所定幅領域２６を除いて皺１６の形成を行うようにする。そして、以後、上記したような表面紙１１の貼付、継ぎ目１２の形成、皺１６の形成などを手順通り繰り返せばよい。
【００４４】
言うまでもなく、上表面紙１１Ｂの右隣に表面紙１１を貼付しない場合には、側縁部２５及び所定幅領域２６に対しても皺１６を形成させるようにする。
以上、説明したような本発明に係る皺１６の形成方法であると、皺数、皺１６の長さや突出量、皺１６のシャープさなどについて、強調させることにも抑え気味にすることにも柔軟に対応できる。また低コスト、短期間で施工できるようになる。
【００４５】
しかも、複数枚の表面紙１１を相互隣接配置で貼り付けるものとして、その隣接間（境界部）に形成される継ぎ目１２に対して、自然な状態で皺１６を形成でき、この継ぎ目１２の皺１６を、継ぎ目１２以外の領域の皺模様にとけ込ませることができる。すなわち、継ぎ目１２が目立ってしまうことを防止でき、壁面全体としての一体感を醸し出させることができる。
【００４６】
ところで、このように新規で画期的な壁装構造１や、その施工方法について、それを建物の施主や舞台の演出家、イベントの主催者などに対して事前打ち合わせで詳細に説明し、明解に理解させることができるようにするには、図１１に示すような施工サンプル体３０を製作しておくとよい。
すなわち、ベニヤ合板等の基板３１に対し、その表面を複数に区画割りして（図例では４区画）、それぞれに皺パターンの異なる表面紙１１を貼付する。
【００４７】
基板３１には、表面紙１１とは別に表示面３２を設けておき、この表示面３２に対して、文字、写真、図などを用いて、皺１６によって得られる室内雰囲気の特徴を解説したり、表面紙１１の材質や厚さ、ザラツキ度や起毛の有無などの表面性状、光沢の有無や色、それに皺パターンの種類などにおけるレパートリーを解説したりすればよい。
なお、この表示面３２は、基板３１に対して直接的に印刷や塗装を施すことで形成してもよいし、印刷紙、ポスター、写真などを貼り付けることで形成してもよいし、更にはプラスチック製、木製又は金属製のシートやプレートなどを貼り付けることで形成してもよい。
【００４８】
このような施工サンプル体３０を準備しておくと、自然な皺１６をランダムにちりばめた斬新且つシックな意匠を表現でき、それによって日本美や幻想的な雰囲気をも演出することができるようにした壁装構造１や、その施工方法について、その実物を、建物の施主や舞台の演出家、イベントの主催者などに見せることができるものである。また直接に手で触ってもらうこともできる。
【００４９】
複数区画に対し、それぞれ皺パターンの異なる表面紙１１を貼付しておくことで、それらの皺パターンを一様に遠ざけたり近づけたりして見比べることができ、比較検討が容易となる。
［その他］
本発明は、上記実施形態に限定されるものではなく、実施の形態に応じて適宜変更可能である。
【００５０】
例えば、前記したように下地壁面１０、接着層１５（水性糊）、表面紙１１について、それらの材質や寸法、物性などは、前記した事項を除いては何ら限定されるものではない。
また速乾接着層１３についても、両面テープを採用することが限定されるものではなく、迅速に乾燥硬化状態（接着力）が得られ、且つ皺１６の形成時に剥離現象（局部的な浮き上がり）などの欠点を防止できる程度に強力な接着力が得られるような接着剤であれば、何を用いてもよい。例えば、速乾性の木工ボンド（酢酸ビニル系接着剤）やゴム系ボンドなどでもよい。乾燥硬化状態（接着力）が得られるまでの時間（即ち、迅速さ）の目安としては、おおよそ５分程度とすると、高能率の作業性を得るうえで好適となる。
【００５１】
図９に示すように、速乾接着層１３を付着させた後の上表面紙１１Ｂにつき、その速乾接着層１３が下地壁面１０に張り付かないようにしつつ、その他の領域で下地壁面１０に貼付し、その後、速乾接着層１３と下地壁面１０との間へ下表面紙１１Ａの側縁部を差し込むようにしつつ、この下表面紙１１Ａを下地壁面１０へ貼付させるようにしてもよい。その後に、速乾接着層１３によって継ぎ目１２を形成させ、また皺１６を形成させるようにする。
【００５２】
図１０に示すように、速乾接着層１３を付着させた後の上表面紙１１Ｂと下表面紙１１Ａとを、速乾接着層１３によって接着し、継ぎ目１２を形成させた後、これら両表面紙１１Ａ，１１Ｂを水性糊にて下地壁面１０へ貼付するようにしてもよい。そして、その後に皺１６を形成させるようにする。この手順は、両表面紙１１Ａ，１１Ｂがあまり大きくない場合に有効である。
【００５３】
両表面紙１１Ａ，１１Ｂを水性糊にて下地壁面１０へ貼付した後、これら両表面紙１１Ａ，１１Ｂ、及び速乾接着層１３による接着で形成された継ぎ目１２に対し、一斉に皺１６を形成させるようにしてもよい。
本発明は、主として建物躯体の内装構造などとして実施可能であるが、これに限定されず、建物躯体の外装としても実施可能である。また建物躯体以外のパーテーション（衝立などを含む）、その他の家具をはじめ、種々様々な小物などに対しても実施可能である。
【符号の説明】
【００５４】
１  壁装構造
１０  下地壁面
１１  表面紙
１１Ａ  下表面紙
１１Ｂ  上表面紙
１２  継ぎ目
１３  速乾接着層
１５  接着層
１６  皺
１６Ａ  変形可能皺
【図１】
2011047251.tif 000003
【図２】
2011047251.tif 000004
【図３】
2011047251.tif 000005
【図４】
2011047251.tif 000006
【図５】
2011047251.tif 000007
【図６】
2011047251.tif 000008
【図７】
2011047251.tif 000009
【図８】
2011047251.tif 000010
【図９】
2011047251.tif 000011
【図１０】
2011047251.tif 000012
【図１１】
2011047251.tif 000013